(57)【特許請求の範囲】
【請求項１】
計測された温度データに基づいて被検者の体温データを算出する電子体温計であって、
前記体温データの算出が正常に終了したか否かを判定する判定手段と、
前記判定手段により正常に終了したと判定された場合に、正常に終了したことを示す出力を行う出力手段と、
前記出力手段により前記出力が開始された後に計測される温度データの変化に基づいて、前記電子体温計が前記被検者の測定部位から取り外されたか否かを判断する判断手段と、
前記判断手段により取り外されたと判断した場合に、ユーザからの指示を受けることなく所定の処理を実行する実行手段と、を備え、
前記所定の処理は、前記出力手段により開始された出力を停止する処理を含むことを特徴とする電子体温計。
【請求項２】
前記判断手段は、前記出力が開始された後に計測された温度データが、所定の閾値に到達した場合に、前記電子体温計が前記被検者の測定部位から取り外されたと判断することを特徴とする請求項１に記載の電子体温計。
【請求項３】
前記判断手段は、前記体温データの算出が正常に終了した時点において計測された温度データと、前記出力が開始された後に計測された温度データとの差分値が、所定の閾値に到達した場合に、前記電子体温計が前記被検者の測定部位から取り外されたと判断することを特徴とする請求項１に記載の電子体温計。
【請求項４】
前記所定の処理は、表示部のバックライトを点灯及び消灯する処理、及び／または、前記算出された体温データを無線送信する処理を含むことを特徴とする請求項１乃至３のいずれか１項に記載の電子体温計。
【請求項５】
前記出力手段は、正常に終了したことを示す出力として、音、光、または振動を出力することを特徴とする請求項１乃至４のいずれか１項に記載の電子体温計。
【請求項６】
前記体温データは、計測された温度データに基づいて予測処理を実行することにより算出された体温データ、または、計測された温度データに基づいて実測処理を実行することにより算出された体温データ、を含むことを特徴とする請求項１乃至５のいずれか１項に記載の電子体温計。
【発明の詳細な説明】
【技術分野】
【０００１】
本発明は、被検者の体温を測定する電子体温計に関するものである。
【背景技術】
【０００２】
被検者の体温を測定する電子体温計においては、従来より、操作性の向上や部品点数の削減に伴うコスト低減といった観点から、操作スイッチ点数の最小化が図られてきた。【０００３】
このため、一般に、電子体温計は１つの操作スイッチに対して複数の機能をもたせ、ユーザが種々の指示を入力できる構成となっている。例えば、電源スイッチにおいては、押圧時間（長押しまたは短押し）等を認識することで、異なる処理が実行されるよう構成されている（下記特許文献１参照）。
【先行技術文献】
【特許文献】
【０００４】
【特許文献１】特開２００７−０２４５９５号公報
【発明の概要】
【発明が解決しようとする課題】
【０００５】
しかしながら、電源スイッチに複数の機能をもたせる構成とした場合、例えば、体温測定終了後に、電源ＯＦＦ以外の所定の処理を実行させるべく電源スイッチを操作したにも関わらず、誤って電源をＯＦＦにしてしまうといった事態が想定されうる。【０００６】
この場合、再び電源をＯＮにしたとしても、直近の体温測定結果は消去されているため、ユーザは、再度、体温測定を行わなければならないといった不都合がある。【０００７】
このようなことから、操作スイッチ点数の最小化を図るにあたっては、１つの操作スイッチに複数の機能をもたせるだけでは十分とはいえず、例えば、体温測定のためにユーザが行う一連の動作のうち、現在が、いずれの状態にあるのかを電子体温計自身が判断し、ユーザからの指示を受けなくとも、自動的に適切な処理を実行する構成とすることで、ユーザによる操作スイッチの操作回数を減らすことが、有効であると考えられる。【０００８】
本発明は上記課題に鑑みてなされたものであり、電子体温計において、操作スイッチの点数を最小化するとともに、ユーザによる操作スイッチの操作回数を削減できるようにすることを目的とする。
【課題を解決するための手段】
【０００９】
本発明に係る電子体温計は、計測された温度データに基づいて被検者の体温データを算出する電子体温計であって、前記体温データの算出が正常に終了したか否かを判定する判定手段と、前記判定手段により正常に終了したと判定された場合に、正常に終了したことを示す出力を行う出力手段と、前記出力手段により前記出力が開始された後に計測される温度データの変化に基づいて、前記電子体温計が前記被検者の測定部位から取り外されたか否かを判断する判断手段と、前記判断手段により取り外されたと判断した場合に、ユーザからの指示を受けることなく所定の処理を実行する実行手段と、を備え、前記所定の処理は、前記出力手段により開始された出力を停止する処理を含む。
【発明の効果】
【００１０】
本発明によれば、電子体温計において、操作スイッチの点数を最小化するとともに、ユーザによる操作スイッチの操作回数を削減することが可能となる。【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】図１は、本発明の一実施形態にかかる電子体温計１００の外観構成を示す図である。
【図２】図２は、電子体温計１００の機能構成を示す図である。
【図３】図３は、電子体温計１００により計測された温度データの一例を示す図である。
【図４Ａ】図４Ａは、第１の実施形態における体温測定処理の流れを示すフローチャートである。
【図４Ｂ】図４Ｂは、第１の実施形態における体温測定処理の流れを示すフローチャートである。
【図５】図５は、第２の実施形態における体温測定処理の流れを示すフローチャートである。
【図６】図６は、第３の実施形態における体温測定処理の流れを示すフローチャートである。
【図７】図７は、第４の実施形態における体温測定処理の流れを示すフローチャートである。
【図８】図８は、第５の実施形態における体温測定処理の流れを示すフローチャートである。
【図９】図９は、第６の実施形態における体温測定処理の流れを示すフローチャートである。
【発明を実施するための形態】
【００１３】
以下、本発明の各実施形態について図面を参照しながら説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
なお、以下の各実施形態の説明において用いる、“ユーザ”には、体温の測定を受ける被検者と、被検者に対して体温の測定を行う測定者の両方または一方が含まれるものとする。また、被検者と測定者とが同一人の場合にあっては、当該被検者を指すものとする。
【００１５】
［第１の実施形態］
＜１．電子体温計の外観構成＞
はじめに電子体温計の外観構成について説明する。図１は、本発明の一実施形態に係る電子体温計１００の外観構成を示す図である。図１において、１０１は本体ケースであり、後述する演算制御部等の電子回路、電池（電源部）等を収納している。
【００１６】
１０２は測温部であり、内部には温度を計測するためのサーミスタが収納されている。１０３は電源ＯＮ／ＯＦＦスイッチであり、１回押圧すると電源部がＯＮとなり、再度押圧すると電源部がＯＦＦとなる。１０４は表示部であり、被検者の体温を表示する。
【００１７】
なお、図１の例では、電源ＯＮ／ＯＦＦスイッチ１０３を有する電子体温計について説明したが、本発明はこれに限定されず、例えば、リードスイッチにより電源のＯＮ／ＯＦＦを行う電子体温計（つまり、電源ＯＮ／ＯＦＦスイッチ１０３を有していない電子体温計）であってもよいことはいうまでもない。
【００１８】
また、本実施形態に係る電子体温計１００は、温度データの時間変化に基づいて被検者の体温を予測する電子体温計（予測体温測定を行う電子体温計）であっても、実測体温測定を行う電子体温計であってもよい。
【００１９】
＜２．電子体温計の機能構成＞
次に、電子体温計１００の機能構成について説明する。図２は、電子体温計１００の機能構成を示す図である。図２に示すように、電子体温計１００は、温度を計測し、ディジタル信号として出力する温度計測部２１０と、当該ディジタル信号から温度データを算出し、更に算出した温度データを用いて被検者の体温データを算出する演算制御部２２０とを備える。なお、演算制御部２２０は、体温データの算出のほか、電子体温計１００全体の制御も行う。
【００２０】
更に、電子体温計１００は、測定結果を表示する、バックライト用のＬＥＤ２３１を備えた表示部２３０（図１の表示部１０４に対応する）と、電子体温計１００の内部状態（体温測定正常終了等の内部状態）を知らせるために音声を出力する音声出力部２４０と、ユーザからの指示を受け付ける操作部２５０（図１の電源ＯＮ／ＯＦＦスイッチ１０３に対応する）と、各部に電源を供給する電源部２６０とを備える。
【００２１】
温度計測部２１０は、測温部１０２に設置されたサーミスタＲｔｈ、基準抵抗素子Ｒｒｅｆ、コンデンサＣ、測温用ＣＲ発振回路、及びＣＲ発振回路に接続される素子を切り替えるスイッチ回路から構成され、サーミスタＲｔｈの抵抗値（＝温度）、基準抵抗素子Ｒｒｅｆの抵抗値に応じた周波数のディジタル信号を出力する。なお、温度計測部２１０の構成は一例であって、これに限定されるものではない。
【００２２】
演算制御部２２０は、温度計測部２１０より出力されるディジタル信号の周波数を計測するカウンタ２２６を備える。
【００２３】
また、カウンタ２２６により計測された周波数に基づいて温度データを算出するプログラムを格納したＲＯＭ２２２（予測体温測定を行う電子体温計にあっては、更に、算出された温度データの時間変化に基づいて、被検者の体温を予測する予測処理を行うプログラムを格納したＲＯＭ２２２）と、算出された温度データを時系列で記憶するためのＲＡＭ２２３と、所定の音声データ（音声ＩＣ）を格納したＥＥＰＲＯＭ２２４と、ＲＯＭ２２２に格納されたプログラムに従った演算や音声データの出力を行う演算処理部２２１とを備える。
【００２４】
また、演算処理部２２１における演算結果を表示する表示部２３０を制御するための表示制御部２２７を備える。
【００２５】
更に、演算制御部２２０は、上記カウンタ２２６、表示制御部２２７、演算処理部２２１、温度計測部２１０を制御する制御回路２２５を備える。
【００２６】
なお、上記説明では、所定の音声データをＥＥＰＲＯＭ２２４に格納する構成としたが、本発明はこれに限定されず、例えば、ＲＯＭ２２２に格納し、ＥＥＰＲＯＭ２２４を持たない構成としてもよい。
【００２７】
また、図２には記載されていないが、電子体温計１００の内部状態を知らせるための構成として、音声出力部２４０に代えて、あるいは、音声出力部２４０に加えて、バイブレータ部が配されていてもよい。また、算出した体温データを外部に無線送信するための無線通信部が配されていてもよい。
【００２８】
＜３．温度データの説明＞
次に、電子体温計１００の体温測定処理における温度データの変化について説明する。図３は、電子体温計１００の体温測定処理における温度データの変化を示す図であり、横軸に、電源がＯＮになってからの経過時間を、縦軸に、算出された温度データを示している。
【００２９】
図３に示すように、電源がＯＮになり温度データの算出が開始されると、ユーザが電子体温計１００を被検者の腋窩等の測定部位に挿入し、当該測定部位に先端の測温部１０２が接触するまでの間は、周囲の環境温度に等しい温度データが出力される。
【００３０】
一方で、ユーザが電子体温計１００を被検者の腋窩等の測定部位に挿入し、当該測定部位に先端の測温部１０２が接触すると、温度データが上昇を開始する。電子体温計１００では、温度データが上昇することで、予測体温測定を行う電子体温計にあっては、予測処理を開始する。更に、温度データが継続的に上昇し、予測値の算出が完了すると、予測処理を終了する。
【００３１】
また、実測体温測定を行う電子体温計にあっては、電子体温計１００が腋窩等の測定部位に挿入された状態が継続するため、引き続き温度データが上昇することとなる。そして、所定時間（例えば１０分程度）が経過すると、温度データは被検者の体温と平衡となり、一定温度に収束するため、実測処理が終了する。
【００３２】
ここで、予測処理または実測処理が終了し、被検者の体温データを算出すると、電子体温計１００では、体温データの算出が完了したことを、メロディ等の所定の音声（または、光、振動等）により、ユーザに知らせる。これにより、ユーザは、体温データの算出が完了したことを認識し、腋窩等の測定部位より、電子体温計１００を取り出す。
【００３３】
電子体温計１００が取り出され、先端の測温部１０２が腋窩等の測定部位に対して非接触となると、（算出された体温データの表示は維持される一方で）温度データは低下し、所定時間が経過すると、電源がＯＮになった直後の温度データ（周囲の環境温度に等しい温度データ）に戻る。
【００３４】
このように、体温データの算出が正常終了し、ユーザに対して体温データの算出が完了したことを知らせた後に生じる温度データの低下は、ユーザが、電子体温計１００を取り出したことによるものと判断することができる。
【００３５】
換言すると、体温データの算出が正常終了したことを知らせた後に生じる温度データの低下は、当該出力が、ユーザによって認識されたことを示している。したがって、例えば、体温データの算出が正常終了した後の温度データの低下を監視しておき、所定の閾値以下まで温度データが低下したと判定された場合に、電子体温計１００が被検者の測定部位より取り出されたと判断することで、体温データの算出が正常終了したこと示す出力を自動的に停止させる構成を実現することが可能となる。
【００３６】
＜４．体温測定処理の流れ＞
次に、予測体温測定を行う電子体温計１００における体温測定処理の流れについて説明する。図４Ａ、４Ｂは、予測体温測定を行う電子体温計１００における体温測定処理の流れを示すフローチャートである。
【００３７】
電源ＯＮ／ＯＦＦスイッチ１０３が押圧され電源がＯＮになると、図４Ａ及び図４Ｂに示す体温測定処理が開始される。
【００３８】
ステップＳ４０１では、温度計測を開始し、温度データを所定間隔で算出する。ステップＳ４０２では、算出された温度データが所定の条件を満たしているか否かを判定する。ステップＳ４０２において、温度データが所定の条件を満たしていないと判定された場合には、電子体温計１００が被検者の測定部位に挿入されていないと判断し、温度データが所定の条件を満たすまで待機する。
【００３９】
一方、ステップＳ４０２において温度データが所定の条件を満たしたと判定された場合には、ステップＳ４０３に進み、電子体温計１００が測定部位に挿入され、先端の測温部１０２が測定部位に接触したと判断し、ステップＳ４０４に進む。
【００４０】
ステップＳ４０４では、予測処理を開始する。更に、ステップＳ４０５では、予測処理により予測値が算出されたか否かを判定し、予測値が算出されたと判定された場合には、予測成立と判断し、ステップＳ４０６に進み、予測処理を終了するとともに、算出された予測値を被検者の体温データとして表示し、記憶する（この場合、体温測定は正常終了したと判断される）。
【００４１】
一方、例えば、電子体温計１００の先端の測温部１０２が被検者の測定部位からずれ、温度データが低下するなどの事態が生じた結果、ステップＳ４０５において予測値が算出されなかったと判定された場合には、予測不成立と判断し、ステップＳ４０８に進む。ステップＳ４０８では、測定エラーを示す表示及び音声出力等の告知処理を実行し、ユーザに対して、体温測定が正常終了しなかったことを知らせる。その後、図４ＢのステップＳ４１５に進む。
【００４２】
一方、ステップＳ４０６において、体温測定が正常終了したと判断した後は、ステップＳ４１０において、体温測定が正常終了したことを示す測定終了音（例えばメロディ）を出力する。なお、メロディ音は、健常者、高齢者のいずれもが聞き取ることができるように、１ｋＨｚ〜５ｋＨｚまでの音を含むような構成にしておくことが好ましい。
【００４３】
ステップＳ４１０において、体温測定が正常終了したことを示す測定終了音が出力された後は、ステップＳ４１１において、温度データの監視を継続し、温度データが所定の閾値以下、例えば、３２℃以下まで低下していないか否かを判定する。
【００４４】
ステップＳ４１１において温度データが所定の閾値以下まで低下していると判定された場合には、ステップＳ４１３に進む。ステップＳ４１３では、電子体温計１００が測定部位から取り出され、先端の測温部１０２が測定部位と非接触になったと判断し、ステップＳ４１４において、既に出力されている測定終了音を停止する。
【００４５】
一方、ステップＳ４１１において、温度データが所定の閾値以下まで低下していないと判定された場合には、ステップＳ４１２に進み、予め定められた測定終了音の鳴動時間に到達したか否かを判定し、予め定められた鳴動時間に到達していないと判定された場合には、ステップＳ４１１に戻り、温度データが所定の閾値以下まで低下していないか否かを判定する。
【００４６】
一方、ステップＳ４１２において、予め定められた鳴動時間に到達したと判定された場合には、ステップＳ４１４に進み、既に出力されている測定終了音を停止する。
【００４７】
このような構成とすることで、ユーザは、測定終了音を認識したら、測定部位から電子体温計１００を取り出すだけで、電源ＯＮ／ＯＦＦスイッチ１０３を操作しなくとも自動的に測定終了音を停止させることが可能となる。
【００４８】
ステップＳ４１５では、電源ＯＮ／ＯＦＦスイッチ１０３が押圧されたか否かを判定する。電源ＯＮ／ＯＦＦスイッチ１０３が押圧されていないと判定された場合には、電源ＯＮ／ＯＦＦスイッチ１０３が押圧されるまで待機する。
【００４９】
一方、電源ＯＮ／ＯＦＦスイッチ１０３が押圧されたと判定された場合には、ステップＳ４１６に進み、体温測定処理を終了する。なお、再度、体温測定を行う場合には、電源ＯＮ／ＯＦＦスイッチ１０３を押圧すればよい。
【００５０】
なお、図４Ｂの例では、ステップＳ４１５において電源ＯＮ／ＯＦＦスイッチ１０３が押圧されたか否かを判定する構成としているが、本発明はこれに限定されず、電源ＯＮ／ＯＦＦスイッチ１０３の押圧は、常時監視しておき、割り込み処理として実行するように構成してもよい。また、オートパワーオフ機能を配し、電源ＯＮ／ＯＦＦスイッチ１０３が押圧されなくとも、所定時間が経過したら、自動的に体温測定処理を終了するように構成してもよい。
【００５１】
以上の説明から明らかなように、本実施形態に係る電子体温計１００では、予測処理において体温データが算出され表示された後、体温測定が正常終了したことを示す測定終了音が出力された場合であっても、温度データの監視を継続させる構成とした。そして、温度データが所定の閾値以下まで低下したと判定された場合に、当該出力中の測定終了音がユーザによって認識され、電子体温計１００が測定部位から取り出されたと判断し、ユーザからの指示を受けることなく自動的に測定終了音を停止させる構成とした。
【００５２】
これにより、ユーザは、測定終了音を認識したら、測定部位から電子体温計１００を取り出すだけで、自動的に測定終了音を停止させることが可能となる。
【００５３】
つまり、電子体温計において、操作スイッチの点数を最小化するとともに、ユーザによる操作スイッチの操作回数を削減することが可能となった。
【００５４】
［第２の実施形態］
上記第１の実施形態では、電子体温計１００が予測体温測定を行う電子体温計の場合について説明したが、本発明はこれに限定されない。例えば、電子体温計１００が実測体温測定を行う電子体温計の場合であっても同様に適用可能である。以下、本実施形態における体温測定処理について説明する。
【００５５】
図５は、実測体温測定を行う電子体温計１００における体温測定処理の流れを示すフローチャートである。実測体温測定を行う電子体温計１００が起動すると、図５に示す体温測定処理が開始される。
【００５６】
ステップＳ４０１では、温度計測を開始し、温度データを所定間隔で算出する。ステップＳ４０２では、算出された温度データが所定の条件を満たしているか否かを判定する。ステップＳ４０２において、温度データが所定の条件を満たしていないと判定された場合には、電子体温計１００が被検者の測定部位に挿入されていないと判断し、所定の条件を満たすまで待機する。
【００５７】
一方、ステップＳ４０２において温度データが所定の条件を満たしたと判定された場合には、ステップＳ４０３に進み、電子体温計１００が測定部位に挿入され、先端の測温部１０２が測定部位に接触したと判断し、ステップＳ５０１に進む。
【００５８】
ステップＳ５０１では、実測時間（例えば、１０分）のカウントを開始する。更に、ステップＳ５０２では、実測時間のカウント開始後に温度の低下が発生していないか否かを判定する。
【００５９】
ステップＳ５０２において、例えば、電子体温計１００の先端の測温部１０２が被検者の測定部位からずれるなどして、温度データの低下が発生したと判定された場合には、ステップＳ５０６に進む。ステップＳ５０６では、最高温度を保持し、体温データとして表示部２３０に表示する。その後、ステップＳ５０３に進む。
【００６０】
一方、ステップＳ５０２において、温度データの低下が発生していないと判定された場合には、ステップＳ５０３において、温度上昇の変化（傾き）が一定値以下に収束したか否かを判定する。ステップＳ５０３において、温度データの変化（傾き）が一定値以下に収束したと判定された場合には、ステップＳ５０５に進む。
【００６１】
一方、ステップＳ５０３において、温度上昇の変化（傾き）が一定値以下に収束していないと判定された場合には、ステップＳ５０４に進み、実測時間が経過したか否かを判定する。ステップＳ５０４において、実測時間が経過していないと判定された場合には、ステップＳ５０２に戻る。
【００６２】
一方、ステップＳ５０３において、温度上昇の変化（傾き）が一定値以下に収束していないと判定されたが、ステップＳ５０４において、実測時間が経過したと判定された場合には、ステップＳ５０５に進む。
【００６３】
ステップＳ５０５では、実測処理を終了するとともに、実測時間が経過した時点での温度データを被検者の体温データとして表示部２３０に表示した後、記憶する（この場合、体温測定は正常終了したと判断される）。その後、図４ＢのステップＳ４１０に進み、測定終了音を出力する。なお、以降の処理は、上記第１の実施形態において既に説明済みであるため、ここでは説明を省略する。
【００６４】
以上の説明から明らかなように、実測体温測定を行う電子体温計１００により体温測定を行った場合においても、上記第１の実施形態と同様の処理を実行することが可能となる。つまり、実測体温測定を行う電子体温計１００においても、上記第１の実施形態と同様の効果を享受することが可能である。
【００６５】
［第３の実施形態］
上記第１及び第２の実施形態では、体温測定が正常終了し測定終了音を出力した後も、温度データの監視を継続し、当該温度データが所定の閾値以下まで低下したと判定された場合に、ユーザにより電子体温計１００が測定部位から取り出されたと判断し、測定終了音を停止させる構成としたが、本発明はこれに限定されない。
【００６６】
例えば、予測体温測定を行う電子体温計１００にあっては、体温測定が正常終了した時点で予測処理に用いられていた温度データと、体温測定が正常終了し測定終了音を出力した後に算出された温度データとの差分値を監視しておき、当該差分値が所定の閾値以上になったと判定された場合に、測定終了音を停止させる構成としてもよい。また、実測体温測定を行う電子体温計１００にあっては、体温測定が正常終了した時点における温度データ（すなわち、体温データ）と、体温測定が正常終了し測定終了音を出力した後に算出された温度データとの差分値を監視しておき、当該差分値が所定の閾値以上になったと判定された場合に、測定終了音を停止させる構成としてもよい。
【００６７】
つまり、温度データの相対変化を監視することで、ユーザにより電子体温計１００が測定部位から取り出されたか否かを判断する構成としてもよい。
【００６８】
以下、本実施形態における体温測定処理について説明する。なお、本実施形態における体温測定処理のうち、算出された体温データを表示し記憶するまでの処理または告知処理を実行するまでの処理は、上記第１の実施形態において説明した図４Ａまたは上記第２の実施形態において説明した図５と同様であるため、ここでは説明を省略する。
【００６９】
図６は、本実施形態における体温測定処理の流れを示すフローチャートである。図６に示すように、ステップＳ４１０では、体温測定が正常終了したことを示す測定終了音（例えばメロディ音）を出力する。
【００７０】
ステップＳ４１０において、体温測定が正常終了したことを示す測定終了音が出力された後は、ステップＳ６０１に進み、温度データを計測する。そして、予測体温測定を行う電子体温計１００において体温データが算出された場合にあっては、予測値が算出された時点において予測処理に用いられた温度データと、体温測定が正常終了し測定終了音が出力された後に計測された温度データとの差分値を算出する。
【００７１】
また、実測体温測定を行う電子体温計１００において体温データが算出された場合にあっては、当該体温データと、体温測定が正常終了し測定終了音が出力された後に計測された温度データとの差分値を算出する。
【００７２】
ステップＳ６０２では、ステップＳ６０１において算出された差分値が、所定の閾値以上であるか否かを判定する。ステップＳ６０２において、差分値が所定の閾値以上であると判定された場合には、ステップＳ４１３に進む。ステップＳ４１３では、ユーザにより電子体温計１００が取り出され、先端の測温部１０２が測定部位に対して非接触になったと判断し、ステップＳ４１４において、既に出力されている測定終了音を停止する。
【００７３】
このように、差分値を監視することで、正常終了した際の被検者の体温や、体温測定時の周辺環境の温度等に左右されることなく、電子体温計１００がユーザにより測定部位から取り出されたか否かを、より適確に判断することが可能となる。
【００７４】
一方、ステップＳ６０２において、差分値が所定の閾値以上、例えば、０．１℃以上でないと判定された場合には、ステップＳ４１２に進み、予め定められた測定終了音の鳴動時間に到達したか否かを判定し、予め定められた鳴動時間に到達していないと判定された場合には、ステップＳ６０１に戻り、差分値の算出を継続し、差分値が所定の閾値以上であるか否かを判定する。
【００７５】
一方、ステップＳ４１２において、予め定められた鳴動時間に到達したと判定された場合には、ステップＳ４１４に進み、既に出力されている測定終了音を停止する。
【００７６】
このような構成とすることで、ユーザは、測定終了音を認識したら、測定部位から電子体温計１００を取り出すだけで、電源ＯＮ／ＯＦＦスイッチ１０３を操作しなくとも自動的に測定終了音を停止させることが可能となる。
【００７７】
更に、ステップＳ４１５では、電源ＯＮ／ＯＦＦスイッチ１０３が押圧されたか否かを判定する。電源ＯＮ／ＯＦＦスイッチ１０３が押圧されていないと判定された場合には、電源ＯＮ／ＯＦＦスイッチ１０３が押圧されるまで待機する。なお、オートパワーオフ機能を有する場合にあっては、パワーオフとなる時間が経過するまで待機する。
【００７８】
一方、ステップＳ４１５で電源ＯＮ／ＯＦＦスイッチ１０３が押圧されたと判定された場合（あるいは、オートパワーオフ機能が動作した場合）には、体温測定処理を終了する。なお、再度、体温測定を行う場合には、電源ＯＮ／ＯＦＦスイッチ１０３を押圧すればよい。
【００７９】
以上の説明から明らかなように、本実施形態に係る電子体温計１００では、体温測定が正常終了したことを示す測定終了音が出力された場合であっても、温度データの計測を継続し、体温測定が正常終了した時点で計測されていた温度データとの差分値を監視する構成とした。そして、当該差分値に基づいて、電子体温計１００がユーザにより測定部位から取り出されたか否かを判断する構成とした。
【００８０】
これにより、正常終了した際の被検者の体温や、体温測定時の周辺環境の温度等に左右されることなく、電子体温計１００がユーザにより測定部位から取り出されたか否かをより適確に判断することが可能となった。
【００８１】
なお、上記説明では、周辺環境の温度が、被検者の体温よりも低いことを前提としているが、差分値を算出する構成であれば、周辺環境の温度が、被検者の体温よりも高い場合においても適用可能である。
【００８２】
［第４の実施形態］
上記第１乃至第３の実施形態では、電子体温計１００が測定部位から取り出されたと判断した場合に、測定終了音を自動的に停止させる構成としているが、本発明はこれに限定されず、更に、体温データを表示する表示部２３０におけるバックライト用のＬＥＤ２３１を自動的に点灯及び消灯させる構成としてもよい。この場合、それぞれの測定終了報知モードを選択できるように、モード選択スイッチを操作部２５０とは別に設けるか、操作部２５０にモード選択機能を付加する構成とすることが好ましい。ただし、いずれの構成であっても、表示部２３０に、選択されたモードの種類が、アイコンやキャラクタ、文字、記号等により表示されることが好ましい。
【００８３】
また、電子体温計１００が無線通信部を備えている場合にあっては、今回の体温測定において算出された体温データを外部に無線送信する構成としてもよい。以下、本実施形態に係る電子体温計１００における体温測定処理について説明する。
【００８４】
なお、本実施形態における体温測定処理のうち、算出された体温データを表示し記憶するまでの処理または告知処理を実行するまでの処理は、上記第１の実施形態において説明した図４Ａまたは上記第２の実施形態において説明した図５と同様であるため、ここでは説明を省略する。また、測定終了音を出力した後の処理も、図４Ｂまたは図６と基本的に同じであるため、ここでは、図４Ｂまたは図６との相違点を中心に説明を行う。
【００８５】
図７は、本実施形態における体温測定処理の流れを示すフローチャートである。図７のステップＳ４１４において、測定終了音を停止した後は、ステップＳ７０１において、自動的に、バックライト用のＬＥＤ２３１を点灯する。
【００８６】
このように、バックライト用のＬＥＤ２３１を自動的に点灯させることで、周辺環境が暗い場合であっても、測定部位から取り出された電子体温計１００の表示部２３０に表示される体温データを確実に視認することができる。
【００８７】
ステップＳ７０２では、バックライト用のＬＥＤ２３１の点灯から所定時間（例えば、１０秒）経過した場合には、バックライト用のＬＥＤ２３１を自動的に消灯する。更に、ステップＳ７０３では、今回の体温測定において記憶された体温データを外部に無線送信し、ステップＳ４１５に進む。
【００８８】
ステップＳ４１５における処理は、上記第１の実施形態において図４Ｂを用いて説明済みであるため、ここでは説明を省略する。
【００８９】
このように、本実施形態に係る電子体温計１００では、体温測定が正常終了し、被検者の測定部位から電子体温計１００が取り出されたと判断した場合に、ユーザが行うであろう指示に基づく処理を自動的に行う構成とした。
【００９０】
つまり、体温測定のためにユーザが行う一連の動作のうち、現在が、いずれの状態にあるのかを電子体温計１００が判断し、当該状態においてユーザが行うであろう指示に基づく処理を自動的に実行する構成とすることにより、ユーザの利便性を向上させることが可能となった。
【００９１】
［第５の実施形態］
上記第１乃至第４の実施形態では、体温測定が正常終了したことを示す出力として、測定終了音を出力する構成としたが、本発明はこれに限定されず、例えば、光（バックライト用のＬＥＤ２３１の点滅）や、バイブレーション部を有する場合にあっては、バイブレーション部の駆動により、体温測定が正常終了したことを知らせるようにしてもよい。
【００９２】
以下、本実施形態における電子体温計１００における体温測定処理について説明する。なお、本実施形態に係る体温測定処理のうち、算出された体温データを表示し記憶するまでの処理または告知処理を実行するまでの処理は、上記第１の実施形態において説明した図４Ａまたは上記第２の実施形態において説明した図５と同様であるため、ここでは説明を省略する。また、測定終了音を出力した後の処理も、図４Ｂまたは図６と基本的に同じであるため、ここでは、図４Ｂまたは図６との相違点を中心に説明を行う。
【００９３】
図８は、本実施形態における体温測定処理の流れを示すフローチャートである。図８のステップＳ８０１では、体温測定が正常終了したことを示す出力として、バックライト用のＬＥＤ２３１の点滅またはバイブレーション部の駆動を行う。
【００９４】
更に、ステップＳ８０１において、体温測定が正常終了したことを示すバックライト用のＬＥＤ２３１の点滅処理またはバイブレーション部の駆動処理が開始された後は、ステップＳ４１１において、温度データを監視し、温度データが所定の閾値以下まで低下していないか否かを判定する。
【００９５】
ステップＳ４１１において温度データが所定の閾値以下まで低下していると判定された場合には、ステップＳ４１３に進む。ステップＳ４１３では、ユーザにより電子体温計１００が測定部位から取り出され、先端の測温部１０２が測定部位に対して非接触になったと判断し、ステップＳ８０３に進み、バックライト用のＬＥＤ２３１の点滅処理またはバイブレーション部の駆動処理を停止させる。
【００９６】
ステップＳ８０３では、ステップＳ４１４において開始されたバックライト用のＬＥＤ２３１の点滅処理またはバイブレーション部の駆動処理を停止させる。
【００９７】
一方、ステップＳ４１１において、温度データが所定の閾値以下まで低下していないと判定された場合には、ステップＳ８０２に進み、予め定められた出力終了時間に到達したか否かを判定し、予め定められた出力終了時間に到達していないと判定された場合には、ステップＳ４１１に戻り、温度データが所定の閾値以下まで低下していないか否かを判定する。
【００９８】
一方、ステップＳ８０２において、予め定められた出力終了時間に到達したと判定された場合には、ステップＳ８０３に進み、バックライト用のＬＥＤ２３１の点滅処理またはバイブレーション部の駆動処理を停止させる。
【００９９】
上記点滅処理または駆動処理を終了した後は、ステップＳ７０１において、自動的に、バックライトのＬＥＤ２３１を点灯させる。更に、ステップＳ７０２では、バックライト用のＬＥＤ２３１の点灯から所定時間（例えば、１０秒）が経過した場合に、バックライト用のＬＥＤ２３１を自動的に消灯させる。更に、ステップＳ７０３では、今回の体温測定において記憶された体温データを外部に無線送信し、ステップＳ４１５に進む。
【０１００】
ステップＳ４１５における処理は、上記第１の実施形態において図４Ｂを用いて説明済みであるため、ここでは説明を省略する。
【０１０１】
このように、本実施形態に係る電子体温計１００では、体温測定が正常終了した場合に、バックライト用のＬＥＤ２３１の点滅処理またはバイブレーション部の駆動処理を行うことで、体温測定が正常終了したことをユーザに知らせる構成とした。また、被検者の測定部位から電子体温計１００が取り出されたと判断した場合に、バックライト用のＬＥＤ２３１の点滅処理またはバイブレーション部の駆動処理を自動的に停止させる構成とした。
【０１０２】
これにより、ユーザは、光または振動により体温測定が正常終了したことを認識することが可能になるとともに、光または振動により体温測定が正常終了したことを認識した場合には、電子体温計１００を測定部位から取り出すだけで、自動的に点滅処理または駆動処理を停止させることが可能となる。
【０１０３】
なお、本実施形態においても、それぞれの測定終了報知モードを選択できるように、モード選択スイッチを操作部２５０とは別に設けるか、操作部２５０にモード選択機能を付加する構成とすることが好ましい。ただし、いずれの構成であっても、表示部２３０に、選択されたモードの種類が、アイコンやキャラクタ、文字、記号等により表示されることが好ましい。
【０１０４】
［第６の実施形態］
上記第１乃至第５の実施形態では、体温測定が正常終了した後に、被検者の測定部位から電子体温計１００が取り出されたと判断した場合に、体温測定が正常終了したことを示す出力を停止させる構成とした。
【０１０５】
しかしながら、本発明はこれに限定されず、被検者の測定部位から電子体温計１００が取り出されたと判断した場合に、体温測定が正常終了したことを示す出力を停止させる処理以外の処理を実行する構成としてもよい。
【０１０６】
以下、本実施形態の体温測定処理について図９を用いて説明する。なお、図９の説明は、上記第１乃至第５の実施形態との相違点を中心に行うものとする。
【０１０７】
図９は、本実施形態における体温測定処理の流れを示すフローチャートである。図９に示すように、ステップＳ４１０において、体温測定が正常終了したことを示す測定終了音が出力されると、ステップＳ４１１及びステップＳ９０１に示す処理（出力停止処理以外の処理）、及び、ステップＳ４１２及びステップＳ４１３に示す処理（出力停止処理）とが、並行して実行される。
【０１０８】
具体的には、ステップＳ４１１では、温度データを監視し、温度データが所定の閾値以下まで低下していないか否かを判定する。ステップＳ４１１において、温度データが所定の閾値以下まで低下していないと判定された場合には、温度データが所定の閾値以下まで低下したと判定されるまで待機する。一方、ステップＳ４１１において、温度データが所定の閾値以下まで低下したと判定された場合には、ステップＳ９０１に進む。
【０１０９】
ステップＳ９０１では、所定の処理（バックライトの点灯／消灯処理、体温データの無線送信処理）を実行し、ステップＳ４１５に進む。
【０１１０】
一方、ステップＳ４１２では、予め定められた鳴動終了時間に到達した否かを判定し、予め定められた鳴動終了時間に到達していないと判定された場合には、到達するまで待機する。一方、ステップＳ４１２において、予め定められた鳴動終了時間に到達したと判定された場合には、ステップＳ４１３に進み、体温測定が正常終了したことを示す測定終了音を停止させ、ステップＳ４１５に進む。
【０１１１】
ステップＳ４１５に示す処理は、上記実施形態において既に説明済みであるため、ここでは、説明を省略する。
【０１１２】
以上の説明から明らかなように、本実施形態に係る電子体温計１００では、体温測定が正常終了し、被検者の測定部位から電子体温計１００を取り出されたと判断した場合に、ユーザが行うであろう指示に基づく処理を自動的に行う一方で、当該判断とは無関係に、体温測定が正常終了したことを示す出力を、所定の鳴動終了時間が到達したことを条件に自動的に停止させる構成とした。
【０１１３】
このように、体温測定が正常終了し、被検者の測定部位から、電子体温計１００を取り出されたと判断した場合に実行すべき処理は、種々の組み合わせが可能である。
【０１１４】
［その他の実施形態］
本発明は上記実施の形態に制限されるものではなく、本発明の精神及び範囲から離脱することなく、様々な変更及び変形が可能である。従って、本発明の範囲を公にするために、以下の請求項を添付する。
【図１】
0005960908.tif 000002
【図２】
0005960908.tif 000003
【図３】
0005960908.tif 000004
【図４Ａ】
0005960908.tif 000005
【図４Ｂ】
0005960908.tif 000006
【図５】
0005960908.tif 000007
【図６】
0005960908.tif 000008
【図７】
0005960908.tif 000009
【図８】
0005960908.tif 000010
【図９】
0005960908.tif 000011